(57)【特許請求の範囲】
【請求項１】
枠１に軸２を設け前記軸２の回りに回転子３を配置し、前記枠１の脚にベルト支持片５を設けて、回転子３とベルト支持片５に回転ベルト印４を懸架させ、前記ベルト支持片５により張設して回転印部２６としており、該回転印部を覆う外装体９の下端には、下面に固定印部１７を有し、回転ベルト印４が露呈する窓２４を中央に設けた固定印受２０をボルト２２とナット２３で支持し、更に、前記固定印受２０を前記外装体９に沿って上下摺動可能にし、前記枠１の上部よりねじ６を立設させ、該ねじ６上部には握り部を設け、更に、前記回転印部２６の高さ調節機構を有する回転印において、前記ねじ６に、外装体９を支持している固定ナット部３２をねじ嵌合させ、前記固定ナット部３２の外面に突部３０もしくは溝３１を設け、前記握り固定部１１の内面には、前記突部３０もしくは前記溝３１に対応する凹部２９もしくは凸部２８を設け、前記固定ナット部３２を回転可能に保持した握り固定部１１を設け、前記握り固定部１１の外周を覆う様に握り作動部１３を設け、握り固定部１１の周面に一対の突起１２を設け、該突起１２に対応するように握り作動部１３の内面に係止突起１４を一対設け、該突起１２または該係止突起１４のどちらか一方を中間に位置させた一対の誘導溝１５を設け、握り作動部１３の下方には前記固定ナット部３２と当接した調節板１０を配し、握り作動部１３を上下作動させることにより、係止突起１４が突起１２を乗り越えて下方位置にある時には調節板１０は外装体９に圧着されて回転不可能となり、係止突起１４が突起１２より上方位置にある時には調節板１０が回転可能となり、前記回転可能となった調節板１０を回転させることによって固定ナット部３２が回転してねじ６が上下し、回転印部２６を上下動可能とした機構を特徴とする回転印。
【請求項２】
前記握り固定部１１の下方に設けた回転溝３３と、前記調節板１０に設けた爪３４が、回転可能に保持されていることを特徴とする請求項１に記載した回転印。
【発明の詳細な説明】
【０００１】
【産業上の利用分野】
本発明は、回転ベルト印を有し、回転ベルト印の下方端に設けた固定印から前記回転ベルト印を露呈して、前記回転ベルト印と固定印が同一平面に捺印可能な高さ調節機構を有する回転印に関するものである
【０００２】
【従来の技術】
従来よりこの種の発明・考案は、単に回転印の下方端に固定印（マスター印）を設けたものがある。この種の出願は、実公昭５５−１３０６４号（以下、（イ））、実公昭６０−２１２３６号（以下、（ロ））、実公平３−２５９７４号（以下、（ハ））、実公昭２９−１１２０２号（以下、（ニ））がある。
（イ）は、回転印に着脱印部を設けたものであり、回転印の高さ調節機構は設けられていない。したがって、本願とは目的を異にしている。
（ロ）は、携帯に便利な固定印を設けた回転印であり、回転子２２を一部露呈しており、回転印本体６の上下位置を調整可能としている。しかし、（ロ）は、回転子２２が露呈し、更に回転防止部材や機構が設けられていないため、前記回転子に接触して回転子を回してしまうことがある。
【０００３】
（ハ）は、本願出願人と同じであり、考案自体はマスター印の構成部分であるが、該回転印は把手を螺子嵌合しており、調節子を回転印本体に圧着して、調節子を回転不可能にしている。また、把手１２の螺子嵌合を緩めると調節子１３が回転可能になり、固定印（マスター印）と回転ベルト印の高さを調節出来るようになる。これは、いちいち把手を数回回転しなくてはならず煩雑であり、また調節子が自由になるため回転させにくく、高さ調節用ナットを回しにくいといった問題点が生じる。
（二）は、（ハ）と同様な構成であり、把板１２により定位ナット１１を回転させて組み付けられた回転印を上下摺動させている。しかし、把手１３を少し回転させて螺合を弛めてから把板１２を回転させており、（ハ）と同様な問題点を呈する。
【０００４】
また、印面高さ調節という作業は、従来は、固定印からの回転ベルト印の露呈をなくす方向すなわち、下方に固定印を引いて、回転ベルト印を回転可能にして印字体を変化させる。そして、印面高さが合わない場合は、次に握り部を回転させ高さ調節板を回転可能にして、調節ナットに調節板の内径を当接させ、回転印を上下に摺動させていた。
【０００５】
【発明が解決しようとする課題】
以上のように従来から固定印を有する回転印は、握り部をねじ嵌合させ同時に調節板を押圧していたため、その都度、握り部を数回回転させて調節板を解除して、調節板を回転可能にして、回転ベルト印自体を上下に摺動させて印面の高さ合わせを行なっており煩雑であった。また、押圧力が弱くなると調節板に手やその他のものが接触した場合、容易に回転するといった問題点もある。
こうした調節板に手やその他のものが接触しても容易に回転せず、または、調節板を回転させるとき、固定印から回転ベルト印の露呈をなくす方向に前記固定印を引き離す動作と一連の動作の中で調節板に係る押圧力（圧着力）を解除できる回転印を提供する。
【０００６】
【課題を解決するための手段】
枠１に軸２を設け前記軸２の回りに回転子３を配置し、前記枠１の脚にベルト支持片５を設けて、回転子３とベルト支持片５に回転ベルト印４を懸架させ、前記ベルト支持片５により張設して回転印部２６としており、該回転印部を覆う外装体９の下端には、下面に固定印部１７を有し、回転ベルト印４が露呈する窓２４を中央に設けた固定印受２０をボルト２２とナット２３で支持し、更に、前記固定印受２０を前記外装体９に沿って上下摺動可能にし、前記枠１の上部よりねじ６を立設させ、該ねじ６上部には握り部を設け、更に、前記回転印部２６の高さ調節機構を有する回転印において、前記ねじ６に、外装体９を支持している固定ナット部３２をねじ嵌合させ、前記固定ナット部３２の外面に突部３０もしくは溝３１を設け、前記握り固定部１１の内面には、前記突部３０もしくは前記溝３１に対応する凹部２９もしくは凸部２８を設け、前記固定ナット部３２を回転可能に保持した握り固定部１１を設け、前記握り固定部１１の外周を覆う様に握り作動部１３を設け、握り固定部１１の周面に一対の突起１２を設け、該突起１２に対応するように握り作動部１３の内面に係止突起１４を一対設け、該突起１２または該係止突起１４のどちらか一方を中間に位置させた一対の誘導溝１５を設け、握り作動部１３の下方には前記固定ナット部３２と当接した調節板１０を配し、握り作動部１３を上下作動させることにより、係止突起１４が突起１２を乗り越えて下方位置にある時には調節板１０は外装体９に圧着されて回転不可能となり、係止突起１４が突起１２より上方位置にある時には調節板１０が回転可能となり、前記回転可能となった調節板１０を回転させることによって固定ナット部３２が回転してねじ６が上下し、回転印部２６を上下動可能とした機構を特徴とする回転印である。
【０００７】
【作用】
第１の実施例は、握り固定部１１の外周面に相対する一対の突起１２を設けており、握り固定部１１の下方端に回転自在に調節板１０を設けている。そして、常に調節板１０の内径は調節ナット７に噛み合っている。握り作動部１３は、握り固定部１１を覆うように設けられており、握り作動部１３の内面には、相対する一対の誘導溝１５と該誘導溝１５の内部中間位置に係止突起１４が設けられている。前記突起１２と前記係止突起１４は、常には係止突起１４が突起１２を乗り越えて下方位置に位置している。すると、握り作動部１３の下方端面は、調節板１０を外装体９にむかって圧着（押圧）しており、調節板１０の回転を不可能なものにしている。
【０００８】
回転印部２６の高さ調節を行う場合は、回転ベルト印４の窓２４からの露呈をなくす方向である、固定印部１７を下方に位置させて窓２４からの露呈をなくする。そして、更に握り作動部１３を上方に引っ張りあげると、係止突起１４は突起１２を乗り越えて、上方位置に移動し、突起１２は係止突起１４の下方の誘導溝１５に位置することになる。すると、前記握り作動部１３の下方端面と調節板１０の圧着が解かれて、調節板１０が回転可能となり、調節板１０を回転させて回転印部の上下方向の移動を行なえるようにした。この時、調節ナット７は回転してねじ６に上下方向に力を加わえて、固定ナット８と握り固定部１１は、凸部２８と溝３１もしくは、凹部２９と突部３０により、前記固定ナット８が回転可能に凹凸嵌合保持されているので、回転印部２６が上下方向に移動可能となる。また、調節ナット７と固定ナット８が共回りを生じれば良いので調節ナット７と固定ナット８が一体とする固定ナット部３２とすることも可能である。固定ナット部３２は、握り固定部１１と前述した様に凸部２８と溝３１もしくは、凹部２９と突部３０により保持されている。そして、高さ調節が終われば握り作動部１３を下方位置にもどし調節板１０を外装体９に押圧する。第２の実施形態は、握り固定部１１Ａの内部には、固定ナット８を設けて、コ字状の枠１の上端面より立設したねじ６に螺旋嵌合しており、更に、前記握り固定部１１Ａの外周には握り固定部１１Ａを覆う様に握り作動部１３を覆い被せている。更に、前記握り作動部１３の下方端には調節板１０Ａを回転自在に設けている。握り固定部１１Ａの外周面には、相対する突起１２を設け、前記握り作動部１３の内面に相対する一対の誘導溝１５を設け、該誘導溝１５の中間位置内部に係止突起１４を前記突起１２に対応するように設けている。前記調節板１０Ａは、握り固定部１１Ａの下方端面に設けられた回転溝３３によって回転可能として保持されている。
【０００９】
常時は、係止突起１４は、突起１２の下方位置にあり、握り作動部１３の下方端に設けられた調節板１０Ａを外装体９に圧着しており、前記調節板１０Ａを回転不能としている。
この時、調節板１０Ａの内径部は調節ナット７と噛み合っているが、前記調節ナット７を回転させて回転印部２６を上下に摺動することが出来ない。
次に、回転印部２６を上下に摺動させて固定印１８と回転ベルト印４の印面高さを調節しようとすると、握り作動部１３を上方に引き上げ、前記係止突起１４が突起１２を乗り越えて、前記突起１２は誘導溝１５の下方部へと移動する。
すると、握り固定部１１Ａには、調節板１０Ａが設けられており、握り作動部１３が上方に引き上げられると握り作動部１３の圧着から開放された調節板１０Ａは回転可能となり、回転印部２６を上下方向に移動可能としている。そして、調節が終われば握り作動部１３を下方位置にもどし調節板１０Ａを外装体９に押圧する。調節ナット７と固定ナット８、固定ナット８と握り固定部１１Ａは前述した第１の実施例と同様のことが考察可能である。従って、固定ナット部３２として固定ナット８と調節ナット７を一体として設けてもよいことは本発明の意図するところである。
また、第１の実施例及び第２の実施例は、誘導溝１５、係止突起１４が握り作 動部１３内面に設けられており、握り固定部１１・１1Aには突起１２が設けられているが、これらの設け方を反対にして、握り作動部１３には突起１２を握り固定部１１・１１Ａには誘導溝１５、係止突起１４を設けても本発明の意図するところである。要するに、誘導溝１５をとちら側に設けるかの違いである。
【００１０】
【実施例】
本発明の第１の実施例を図１、図２、図３、図６より詳細に説明する。
１は、コ字状の枠であり、中間位置に軸２を支持しており、数個の回転子３を回転自在に前記軸２により軸支している。更に、一つ一つの回転子３には、回転子３と同数の回転ベルト印４を懸架させ、ベルト支持片５により回転ベルト印４を張設している。枠１の上端にはねじ６を立設させており、下から調節ナット７、更に間隔をもって固定ナット８を有する握り固定部１１を配置している。前記調節ナット７には、外装体９が狭着保持されている。更に、調節板１０の内径が前記調節ナット７に当接している。
また回転印部２６と称するものは、枠１、回転子３回転ベルト印４、ベルト支持片５、ねじ６、軸２からなっている。
固定ナット８には、突部３０を設けており、握り固定部１１の内面に設けた凹部２９により回転自在に前記握り固定部１１に保持される。
本実施例では、固定ナット８と調節ナット７が分割されているが一体であっても同じ作用を呈する。
【００１１】
１１は、前記したように筒状の握り固定部であり、固定ナット８によりねじ６にねじ嵌合されている
。固定ナット８には、外周面に突起３０が設けられており、握り固定部１１の内面には凹部２９が設けられており、両者は回転可能に嵌合されている。
また、固定ナット８に溝３１を握り固定部１１に凸部２８を設けても、本発明の意図するところである。
握り固定部１１の外周面には、相対する一対の突起１２を有し、握り作動部１３の内面には、前記突起１２を乗り越え嵌合する係止突起１４と前記係止突起１４を内部に有する誘導溝１５を軸線に沿って設けている。ここで、誘導溝１５は突起１２を誘導し、握り作動部１３を引き上げたとき突起１２は誘導溝１５の下方壁面１６によって止まり、抜け出ることはない。
また、常時は握り作動部１３の下方端によって調節板１０を外装体９に圧着しており調節板１０を容易に回転不可能にしている。
更に又、調節板１０の表面もしくは、握り作動部１３の下方端面に凹凸又は、鋸歯状を設けて押圧力と回転止めを兼ね合わせても、本発明の意図するところである。
【００１２】
１７は、固定印部であり、固定印受２０と固定印１８からなり、前記固定印受２０の下面に固定印１８を貼りつけており、外装体９の下方端に固定印受２０を、前記外装体９に設けた長孔２１にボルト２２を貫通させナット２３で取り付けている。前記ナット２３を緩めて固定印受２０を上下に摺動可能としている。
前記固定印受２０には中央に窓２４を設けており、該窓２４から回転ベルト印４を露呈している。
【００１３】
使用方法を詳細に説明する。
まず、常時は握り固定部１１の突起１２の下方位置に前記突起１２と下向きに押圧当接して係止突起１４が位置している。そして、前記係止突起１４を内面に設けている握り作動部１３の下端面を調節板１０に圧着している。
固定印受２０を貫通しているボルト２２は長孔２１の上方位置に位置しているとき、回転ベルト印４は完全に窓２４から露呈されている。
該状態から固定印部１７を下方にずらし、回転ベルト印４が回転可能になるようにする。それから、回転子３を回転させ回転ベルト印４を回転させ変える。その後、固定印部１７を元の位置に戻してみると、固定印１８と回転ベルト印４の高さがあっていない状態になった。この時、握り固定部１１を上方に引き上げると、係止突起１４は突起１２を乗り越え上方に位置し、突起１２は誘導溝１５に入ると同時に、調節板１０の押圧力が圧着力が解かれ調節板１０が回転可能になる。
【００１４】
調節板１０を回転させると、調節ナット７が回転して枠１に設けられたねじ６が上下する。この時固定ナット８を自由に回転し、ねじ６が上下するだけなので、固定ナット８と調節ナット７は共回りをして両者の距離は変わらない。したがって、握り作動部１３は調節板１０の押圧力を変えることなく圧着することができ、調節板１０を回転不能にする。
そして、固定印１８と回転ベルト印４の高さ調節を行なった後には、上記とは逆の作動により元に戻す。
以上のような構成であるので、握り作動部１１をいちいち数回回す必要もなく容易に高さ調節が可能である。また、手やその他の物に接触して握り作動部が緩むこともない。
【００１５】
第２の実施例を図３、図４、図５より詳細に説明する。握り固定部１１Ａの下端には回転溝３３を設け調節板１０Ａに爪３４を設けて回動自在に支持している。その外の構成は、実施例１と変わりはない。特に、爪３４に限らず円形状の保持部材であってもよく、保持できれば本発明の第２の実施例の意図するところである。このような、構成であるので調節板１０Ａは常に、調節ナット７に噛み合っており、握り作動部１３を上方に引いても調節板１０Ａが外れてこず、確実に調節ナット７を回転させ回転印部２６を上下に移動させることが出来る。本実施例は、調節ナット７と固定ナット８が一体となっており、固定ナット部３２としてねじ６にねじ嵌合している。他は、第１の実施例と同じ構成である。
【００１６】
使用方法について詳細に説明する。常時は、係止突起１４が突起１２の下方位置に位置しており、握り作動部１３の下方端面が調節板１０Ａを圧着して調節板１０Ａが容易に回転しないようにしている。使用する際には、握り作動部１３を上方に引き上げると、係止突起１４は突起１２を乗り越えて上方位置に位置し、前記握り作動部１３の下方端面による調節板１０Ａの圧着を解除して調節板１０Ａの回転を可能としている。調節板１０Ａは、常に握り固定部１１Ａの下方端に回転溝３３により回転可能に保持されており、また調節板１０Ａの内面は調節用ナット７に当接している。
【００１７】
【効果】
以上の様な構成であるので、第１、第２の実施例は、調節板１０の押圧力の係脱をスムーズに行なえる。また、第２の実施例は、調節板１０の押圧力を解除しても、調節板１０は握り固定部１１の下方端部に設けられているので確実に調節用ナット７を回転させることが出来る。
更に、調節板を回転させるとき、固定印から回転ベルト印の露呈をなくす方向に前記固定印を引き離す動作と一連の動作のなかで調節板に係る押圧力を解除できる回転印を提供する。
【００１８】
【図面の簡単な説明】
【図１】本発明の第１の実施例の正面断面図
【図２】本発明の第１の実施例の右側面断面図
【図３】本発明の第１の実施例の一部部品斜視図
【図４】本発明の第１の実施例の作動状態説明図
【図５】本発明の第２の実施例の一部断面図
【図６】本発明の握り固定部と固定ナットの説明図
【符号の説明】
１ ：枠
２ ：軸
３ ：回転子
４ ：回転ベルト印
５ ：ベルト支持片
６ ：ねじ
７ ：調節用ナット
８ ：固定ナット
９ ：外装体
１０ ：調節板
１１ ：握り固定部
１２ ：突起
１３ ：握り作動部
１４ ：係止突起
１５ ：誘導溝
１６ ：下方壁面
１７ ：固定印部
１８ ：固定印
２０ ：固定印受
２１ ：長孔
２２ ：ボルト
２３ ：ナット
２４ ：窓
２６ ：回転印部
２８ ：凸部
２９ ：凹部
３０ ：突部
３１ ：溝
３２ ：固定ナット部
３３ ：回転溝
３４ ：爪
【図１】
0003816220.tif 000002
【図２】
0003816220.tif 000003
【図３】
0003816220.tif 000004
【図４】
0003816220.tif 000005
【図５】
0003816220.tif 000006
【図６】
0003816220.tif 000007